(57)【特許請求の範囲】
【請求項１】
中空のハンドル、液体が分配される加工用ヘッド、及び中間部材を有する液体分配装置であって、
前記中空のハンドルは、その中に液体リザーバとなる封入部を供し、末端部、及び前記末端部に位置する放水口を有し、
前記加工用ヘッドは、液体を分配するための小出し開口部を有し、
前記中間部材は、その内部で前記ハンドルの前記末端部を受ける形状を成し、
前記加工用ヘッドは、前記中間部材に取り付けられ、
前記中間部材は小出し開口部を有し、この中間部材の前記小出し開口部は、組み立てられたときに、前記ハンドルの前記放水口及び前記加工用ヘッドの前記小出し開口部の位置に合致しており、
前記装置は、さらに、前記ハンドルからの液体の流れを制御するための流量制御部を有し、前記流量制御部は、前記流れを選択的に制御するため前記ハンドルの放水口に対して可動であり、
前記流量制御部は、前記中間部材内で実質的に受けられ、前記流量制御部は、前記ハンドルからの液体の流量を制御するために前記ハンドルに対して遠位と近位にスライド動作により直線的に移動可能であり、前記流量制御部は、そこを通して前記ハンドルの前記末端部の少なくとも一部を受けるための通し穴を有する、ことを特徴とする液体分配装置。
【請求項２】
前記流量制御部は、バルブ部を有し、このバルブ部は、前記ハンドルの表面及び前記中間部材の表面の間のスペースで受けられている、ことを特徴とする請求項１記載の液体分配装置。
【請求項３】
前記流量制御の前記バルブ部は、少なくとも第１穴部を有し、前記バルブ部は、前記ハンドルの放水口に選択的に合致するため、前記ハンドルの放水口に対して可動となる、ことを特徴とする請求項２記載の液体分配装置。
【請求項４】
前記流量制御部は、少なくとも前記ハンドルの放水口に合致する前記第１穴部の第１開位置、及び前記バルブ部が前記ハンドルの放水口をブロックする閉位置の間で可動である、ことを特徴とする請求項３記載の液体分配装置。
【請求項５】
前記流量制御部の前記バルブ部は、少なくとも異なるサイズの第１穴部及び第２穴部を有し、前記バルブ部は、前記第１穴部及び前記第２穴部を前記ハンドルの放水口に選択的に合致するために前記ハンドルの放水口に対して可動である、
前記流量制御部は、別々の第１流量制御位置及び第２流量制御位置に対応する第１開位置及び第２開位置の間で動き、ここで前記流量制御部が前記第１開位置のとき、前記第１穴部は前記ハンドルの放水口に合致し、前記第２開位置のとき、前記第２穴部は前記ハンドルの放水口に合致する、ことを特徴とする請求項２乃至請求項４のいずれか一項に記載の液体分配装置。
【請求項６】
前記流量制御部は、戻り受け動作を介して、開位置又は閉位置を維持する、
前記流量制御部及び隣接の表面の一つは、戻り受けを有し、他のものは戻り受け動作を介して選択された位置で前記流量制御部を維持するための前記戻り受けを受けるための少なくとも１つの戻り受け凹部を有する、ことを特徴とする請求項４乃至５のいずれか一項に記載の液体分配装置。
【請求項７】
前記流量制御部は戻り受けを有し、前記ハンドルの隣接する表面には、戻り受け動作を介して選択された位置で前記流量制御部を維持するための前記戻り受けを受けるための少なくとも１つの戻り受け凹部を有する、ことを特徴とする請求項６記載の液体分配装置。
【請求項８】
前記流量制御部は、アクチュエータ部を有し、このアクチュエータ部はユーザにより利用できるものであり、ここで、ユーザによる前記アクチュエータ部の動きは、前記流量制御部の前記バルブ部が前記ハンドルの放水口に対して可動することを生じる、ことを特徴とする請求項２乃至７のいずれか一項に記載の液体分配装置。
【請求項９】
前記流量制御部の前記アクチュエータ部は、前記ハンドルの一方側に位置し、前記バルブ部は、前記ハンドルの他方側に位置する、ことを特徴とする請求項８記載の液体分配装置。
【請求項１０】
前記中間部材は開口を有し、前記開口は、当該開口を介して前記アクチュエータ部が突出するよう形成されている、ことを特徴とする請求項８又は９に記載の液体分配装置。
【請求項１１】
前記アクチュエータ部は、前記流量制御部を開位置に動かすため、前記ハンドルに対して遠位側に可動である、ことを特徴とする請求項８乃至１０のいずれか一項に記載の液体分配装置。
【請求項１２】
前記ハンドルの前記末端部は、前記流量制御部の前記バルブ部を受けるための凹部領域を有する、ことを特徴とする請求項２乃至１１のいずれか一項に記載の液体分配装置。
【請求項１３】
前記ハンドルの前記末端部の少なくとも一部は、前記中間部材の内面に係合する、ことを特徴とする請求項１乃至１２のいずれか一項に記載の液体分配装置。
【請求項１４】
前記中間部材は、その中で前記ハンドルの前記末端部を受けるための開口を有する、ことを特徴とする請求項１乃至１２のいずれか一項に記載の液体分配装置。
【請求項１５】
前記加工用ヘッドは、前記中間部材に着脱可能に取り付けられる、ことを特徴とする請求項１乃至１２のいずれか一項に記載の液体分配装置。
【請求項１６】
前記加工用ヘッドは、取り外し可能に締める装着物を介して、前記中間部材に取り付け可能である、ことを特徴とする請求項１乃至１２のいずれか一項に記載の液体分配装置。
【請求項１７】
前記加工用ヘッドは、基板と洗浄要素とを備える、ことを特徴とする請求項１乃至１２のいずれか一項に記載の液体分配装置。
【請求項１８】
請求項１乃至請求項１２のいずれか一項に記載の液体分配装置の組立キットであって、ここで、前記キットは、いずれかの請求項に応じた組立部品を備え、
前記キットは、異なるサイズ及び／又は形状の２以上の前記中間部材を備える、ことを特徴とする組立キット。
【発明の詳細な説明】
【技術分野】
【０００１】
本発明は、液体を分配し、またスポンジやブラシのような加工用ヘッドを動かすために中空のあるハンドルを備えるタイプの改良された液体分配装置に関する。そのような手持ち用の液体分配用具は特に洗浄に有用である。
【背景技術】
【０００２】
石鹸や洗剤のような液体を分配する手持ち用の洗浄用具には様々な形がある。そのような用具は典型的には、液体リザーバ、リザーバを満たすための閉じることができる開口、毛のように尖ったものやスポンジなどを備える洗浄ヘッドにリザーバからの液体を分配するための手段を備える。着脱式ユニットとしての加工用ヘッドを製造することが知られている。本発明は、とりわけ、そのような液体分配用具に関連する改良を供するものである。
【発明の概要】
【０００３】
本発明の第１の形態において、中空のハンドル、液体が分配される加工用ヘッド、及び中間部材を有する液体分配装置であって、前記中空のハンドルは、その中に液体リザーバとなる封入部を供し、末端部、及び前記末端部に位置する放水口を有し、前記加工用ヘッドは、液体を分配するための小出し開口部を有し、前記中間部材は、その内部で前記ハンドルの前記末端部を受ける形状を成し、前記加工用ヘッドは、前記中間部材に取り付けられ、前記中間部材は小出し開口部を有し、この中間部材の前記小出し開口部は、組み立てられたときに、前記ハンドルの前記放水口及び前記加工用ヘッドの前記小出し開口部の位置に合致している、ことを特徴とする液体分配装置である。
【０００４】
中間部材の小出し開口部、ハンドルの放水口、加工用ヘッドの小出し開口部の配置により、中間部材の小出し開口部及び加工用ヘッドの小出し開口部を介して、液体がハンドルのリザーバから流れる。好ましくは、中間部材の小出し開口部は、組み立てられた状態で、加工用ヘッドの小出し開口部に合致することが望まれる。好ましくは、中間部材の小出し開口部はまた、組み立てられた状態で、ハンドルの放水口（直接又はその間に別の孔のある部材がある場合でも）に合致することが望まれる。好ましくは、ハンドルの放水口は、ハンドルの末端部に、またはその近くに配置される。好ましくは、ハンドルの末端部は、組み立てられた状態で、中間部材の内部に延長し、受けられる。従って、ハンドルの放水口は、組み立てられた状態で、中間部材に受けられる。効果的にハンドルによって供される液体の囲い部が、中間部材の中に延長し、中間部材内に収容される。装置は洗浄用具かもしれないし、好ましくは、手持ち用の用具となる。
【０００５】
本願は、中間部材を有する現存の用具の改良を供し、本願では、中間部材に加工用ヘッドを装着し、組立工程に先立って、異なる用途に適した異なる形状及び／又はサイズの別々の部材を供し得る。これは、効果的に、用具の製造を供する。前述の組み立て物は、また、用具の組み立て物の一部として簡単に組み立てられ、液体リザーバからの液量を調整するための手段を有し、さらに、製造の効率化を供している。
【０００６】
より好ましくは、前記装置は、さらに、前記ハンドルからの液体の流れを制御するための流量制御部を有し、前記流量制御部は、前記流れを選択的に制御するため前記ハンドルの放水口に対して可動となる。流量制御部は、選択的にハンドルの放水口の開閉、及び／又は流量のレベルの調性に関連して可動となる。中空のハンドルとは異なる部材の中間部材を有することで、ハンドルと中間部材の組み合わせに先だって、流量制御部を装置内に組み立てることを許容する。さらに、ハンドルの放水口の前後に動かして流量を制御する流量制御部は、加工用ヘッドが取り除かれたときにはユーザにアクセスできないため、従って、加工用ヘッドが用具に取り付けられていないとき、流量制御部が取り外され又は壊されるようになるリスクがない。従って、中間部材は流量制御部を保護している。
【０００７】
より好ましくは、前記流量制御部は、前記中間部材内で受けられる。
【０００８】
より好ましくは、前記流量制御部は、バルブ部を有し、このバルブ部は、前記ハンドルの表面及び前記中間部材の表面の間のスペースで受けられている。好ましくは、バルブ部は、ハンドルの放水口及び中間部材の小出し開口部の間で受けられる。バルブ部は、適切に、ハンドルのリザーバからの液体の流量を制御する。
【０００９】
より好ましくは、前記流量制御の前記バルブ部は、少なくとも第１穴部を有し、前記バルブ部は、前記ハンドルの放水口に選択的に合致するため、前記ハンドルの放水口に対して可動となる。というもの、ハンドルの放水口は、中間部材及び加工用ヘッドの小出し開口部に配置され、また、ハンドルの放水口の第１穴部の配置は、中間部材及び加工用ヘッドの小出し開口部に第１穴部が一致する。
【００１０】
より好ましくは、前記流量制御部は、少なくとも前記ハンドルの放水口に合致する前記第１穴部の第１開位置、及び前記バルブ部が前記ハンドルの放水口をブロックする閉位置の間で可動である。液体は、流量制御部が閉位置のとき、ハンドルの放水口から流れることがブロックされる。ユーザは選択的に、流量制御部の閉位置及び開位置を動かすことで、選択的に用具から分配される液量を止めたり調整できる。流量制御部が閉位置のとき、ハンドルからの液体の漏れを防止し（例えば、重力下で毛管作用）、装置を使用していない時に有用である。
【００１１】
より好ましくは、前記流量制御部の前記バルブ部は、少なくとも異なるサイズの第１穴部及び第２穴部を有し、前記バルブ部は、前記第１穴部及び前記第２穴部を前記ハンドルの放水口に選択的に合致するために前記ハンドルの放水口に対して可動である。これは、制御された装置からの液体の流れを許容する。ユーザは、異なるサイズの穴部によって供される別々の流量制御オプションを選択できる。これは、無駄を防止し、ユーザが必要に応じて分配される液体の適切な量を選択できるようにしている。好ましくは、バルブ部の第１及び第２穴部は、異なる径の円形である。
【００１２】
より好ましくは、前記流量制御部は、別々の第１流量制御位置及び第２流量制御位置に対応する第１開位置及び第２開位置の間で動き、ここで前記流量制御部が前記第１開位置のとき、前記第１穴部は前記ハンドルの放水口に合致し、前記第２開位置のとき、前記第２穴部は前記ハンドルの放水口に合致する。
【００１３】
より好ましくは、前記流量制御部は、戻り受け動作を介して、開位置又は閉位置を維持する。
【００１４】
より好ましくは、前記流量制御部及び隣接の表面の一つは、戻り受けを有し、他のものは戻り受け動作を介して選択された位置で前記流量制御部を維持するための前記戻り受けを受けるための少なくとも１つの戻り受け凹部を有する。
【００１５】
より好ましくは、前記流量制御部は戻り受けを有し、前記ハンドルの隣接する表面には、戻り受け動作を介して選択された位置で前記流量制御部を維持するための前記戻り受けを受けるための少なくとも１つの戻り受け凹部を有する。好ましくは、ハンドルは、第１開位置で流量制御部を保持するための戻り受けを受けるための第１戻り受け凹部を有し、第２開位置で流量制御部を保持するための戻り受けを受けるための第２戻り受け凹部を有し、閉位置で流量制御部を保持するための戻り受けを受けるための第３戻り受け凹部を有する。
【００１６】
より好ましくは、前記流量制御部は、前記ハンドルに対してスライド移動する。より好ましくは、前記流量制御部は、前記ハンドルに対して直線的に移動する。
【００１７】
より好ましくは、前記流量制御部は、そこを通して前記ハンドルの前記末端部の少なくとも一部を受けるための通し穴を有する。
【００１８】
より好ましくは、前記流量制御部は、アクチュエータ部を有し、このアクチュエータ部はユーザにより利用できるものであり、ここで、ユーザによる前記アクチュエータ部の動きは、前記流量制御部の前記バルブ部が前記ハンドルの放水口に対して可動することを生じる。
【００１９】
より好ましくは、前記流量制御部の前記アクチュエータ部は、前記ハンドルの一方側に位置し、前記バルブ部は、前記ハンドルの他方側に位置する。
【００２０】
より好ましくは、前記中間部材は開口を有し、前記開口は、当該開口を介して前記アクチュエータ部が突出するよう形成されている。これは、アクチュエータ部にユーザがアクセスできるようにしている。好ましくは、開口は、スロット形状で、そのため、アクチュエータ部は開位置及び閉位置で直線的に動き得る。
【００２１】
より好ましくは、前記アクチュエータ部は、前記流量制御部を前記閉位置から開位置に動かすため、前記ハンドルに対して遠位側に可動である。
【００２２】
より好ましくは、前記ハンドルの前記末端部は、前記流量制御部の前記バルブ部を受けるための凹部領域を有する。
【００２３】
より好ましくは、前記ハンドルの前記末端部の少なくとも一部は、前記中間部材の内面に係合する。末端部で又はその近くでハンドルの末端部の一部が、組み立てられた状態で、中間部材の内面に係合する。
【００２４】
より好ましくは、前記中間部材は、その中で前記ハンドルの前記末端部を受けるための開口を有する。ハンドルの末端部を受けるための中間部材の開口部は、好ましくは、中間部材の近位にあり、好ましくは、中間部材の近位端にある。中間部材の開口部は、好ましくは、中間部材の末端若しくはその近くである。
【００２５】
より好ましくは、前記加工用ヘッドは、前記中間部材に着脱可能に取り付けられる。これにより、加工用ヘッドが取り除かれ、他の加工用ヘッドに置き換えられ、例えば、加工用ヘッドが擦り切れた場合、他のタイプの加工用ヘッドが望まれる場合である。
【００２６】
より好ましくは、前記加工用ヘッドは、取り外し可能に締める装着物を介して、前記中間部材に取り付け可能である。
【００２７】
より好ましくは、前記加工用ヘッドは、基板と洗浄要素とを備える。より好ましくは、前記洗浄要素はスポンジ又はブラシから成る。
【００２８】
より好ましくは、前記ハンドルは、液体が前記ハンドルの内部に充填され得るように開口部を有し、当該開口部は、使用時にはキャップで閉じられている。好ましくは、キャップはハンドルに着脱可能に取り付ける。より好ましくは、前記キャップは、バヨネット結合を介して前記ハンドルに取り付けられる。
【００２９】
本願の他の形態において、液体分配装置の組立キットであって、ここで、前記キットは、上述のものに応じた組立部品を備える。より好ましくは、前記キットは、異なるサイズ及び／又は形状の２以上の前記中間部材を備える。
【００３０】
ここで使用される用語‘近位’は、使用中のオペレータに近い装置又はシステムの端部を参照し、一方、用語‘遠位’は、オペレータから最も遠い装置又はシステムの端部を参照する。
【００３１】
明細書及び請求項を通じて、文章で記載しない場合には、用語‘備える（comprise）’又はそのバリエーションの‘備える（comprises）’や‘備えている’は、記述された完全体又は完全体のグループを含むことを示唆しているものと理解され、しかしながら、他のどんな完全体又は完全体のグループの排除を意味するものではない。
【図面の簡単な説明】
【００３２】
本願発明のより好ましい形態は、特に、図面への参照を伴うもののみを例示する方法により記述される。
【００３３】
図１は、本願の実施の形態１に係る液体分配装置の斜視図である。
【００３４】
図２Ａは、図１の装置の側面図である。
【００３５】
図２Ｂは、図１の装置の上面図である。
【００３６】
図３は、加工用ヘッドを除いた図１に示す装置の上方からの分解斜視図である。
【００３７】
図４は、加工用ヘッドを除いた図１に示す装置の下方からの分解斜視図である。
【００３８】
図５Ａは、図１に示す装置の流量制御部の上方からの斜視図である。
【００３９】
図５Ｂは、流量制御部の側面図である。
【００４０】
図５Ｃは、流量制御部の下方からの斜視図である。
【００４１】
図６は、図１に示す装置の組み立てられた流量制御部及びハンドルの上方からの斜視図であり、他の部材は示されていない。
【００４２】
図７は、図１に示す装置の組み立てられた流量制御部及びハンドルの下方からの斜視図であり、他の部材は示されていない。
【００４３】
図８は、図２Ｂに示すＸ−Ｘ線の断面図である。
【００４４】
図９は、図１に示す加工用ヘッドの基板の上方からの斜視図である。
【００４５】
図１０は、装置が流量制御部を有していない実施の形態２に係る液体分配装置の分解斜視図である。
【発明を実施するための形態】
【００４６】
本実施の形態では、本願を実施する出願人の知っている現時点での最良の方法を示す。しかしながら、本願を達成できる方法はこれのみではない。それらは図示され、例示のみの方法で、ここに記述される。
【００４７】
図１〜９を参照して、これらは、皿洗いへの適用を主とする液体分配装置１０から成る本願のより好ましい形態を示す。装置１０は、後述のように、幾つかの別々のユニットの集合体である。ここで使用される用語‘近位’は、使用中のオペレータに近い装置又はシステムの端部を参照し、一方、用語‘遠位’は、オペレータから離れた装置又はシステムの端部を参照する。装置のより下部の側は、一般に使用中に洗浄されている表面又はアイテム側に向かう側を参照し、装置のより上部の側は、一般に使用中に洗浄されている表面又はアイテムから離れて向かう側を参照している。ここで使用される用語‘横軸’は、一般に、装置の長軸にクロスする方向に延びる平面を参照する。
【００４８】
装置は、洗剤（例えば、食器洗い用洗剤）を貯蔵するための液体リザーバとなる封入部であるハンドル又は筐体２０を有している。図３を参照し、ハンドル２０は、中間部材３０の内部に受けられる末端部２２を有する。中間部材３０は、遠位部及び近位部を有し、装置はさらに、中間部材３０の遠位部に着脱可能に装着される加工用ヘッド４０を有する。加工用ヘッド４０と反対側のハンドル２０の端部（例えば、ハンドル２０の近位端部）は、それを通して、液体がハンドル２０の内部に注入され得る開口部２１を有し、使用時にはキャップ５０で閉じられている。キャップ５０は、着脱可能であり、ハンドルは必要時に洗剤で再度満たされ、キャップ５０で閉じられる。
【００４９】
図３を参照し、ハンドル２０は末端部２２及び本体部２４を有する。末端部２２は本体部２４から伸び、本体部２４より小さな横断面を有する。図４を参照し、ハンドル２０の末端部２２は、ハンドル２０の末端近くにおいて末端面２６を有し、この末端面２６はそこに小出し開口部又は放水口２７を有する。ハンドル２０は、ハンドル２０の本体部２４から延長する末端部２２側に、第１肩部２３ａを有する。ハンドル２０は、第１肩部よりわずかに末端側に第２肩部２３ｂを有する。
【００５０】
中間部材３０は、ハンドル２０の末端部２２を受ける形状の内部チューブ状スリーブ３７（図８に示す）を有する。中間部材３０は、その近位端部において開口部３２を有し、この開口部３２は内部チューブ状スリーブへの開口として機能する。ハンドル２０の末端部２２は、雄型接続部材を形成し、中間部材３０の内部チューブ状スリーブはハンドル２０と中間部材３０を互いに一体化するための雌型接続部材を形成する。幾つかの実施の形態では、ハンドル２０の末端部２２は末端方向にわずかにテーパ（先細り）しており、この場合、中間部材３０の内部チューブ状スリーブがそれに応じて内側にテーパされる。図３を参照し、末端部２２は、横断面で凸状の曲状上部表面２２ａ、及び曲状上部表面２２ａから延長する平側面２２ｂを有する。非対称の横断面を有することにより、末端部２２は一方向でのみ中間部材３０に挿入され得る。
【００５１】
図３及び４を参照し、ハンドル２０は、第１肩部２３ａ及び第２肩部２３ｂの間に２つの突起部９１を有し、１つの突起部９１はハンドルの上側、他の突起部９１は下側にある。中間部材３０の内部チューブ状スリーブ３７は、スナップ嵌めを介してハンドル２０に中間部材３０を固定的に装着するため、各突起部９１を受けるため、対応する凹部３８（図８に示す）を有する。スナップ嵌めは強く、一旦ハンドル２０と中間部材３０とが装置の製造過程で接続されると、それらはお互いから再度離れるようにはされていない。
【００５２】
図４に示すように、内部チューブ状スリーブは、末端表面３９の端部で終わる。末端表面３９は、そこに小出し開口部３１を有し、組み立てた時、ハンドル２０の放水口２７に合致する。中間部材３０は、中間部材３０の外側を形成する外縁部８０を有し、外側且つ遠位に向かって裾広がりし、末端の長方形端壁８２で終わる。長方形端壁８２は、装置の長手軸に平行な平面で曲げられた側縁部８１を有する。内部チューブ状スリーブ３７の末端表面３９は、実質的に長方形端壁８２と同一平面であり、より強固にするため、１以上の架橋壁８３により外縁部８０に結合される。
【００５３】
ハンドル２０は、一般的に円形又は楕円形の横断面を有し、しかし、曲線形の上部がハンドルに人間工学に基づく形状を与える。ハンドルは遠位に先細りする。ハンドル２０と中間部材３０が組み立てられたとき、中間部材３０は、効果的にハンドル２０の脚部を供し、加工用ヘッド４０が搭載され、組み立てられたとき、中間部材３０は家庭用品の本体の長さに効率的に延長する。中間部材３０の開口部３２は、組み立てられたときハンドルの第１肩部２３ａに隣接し、中間部材３０の外表面は、ハンドルの本体部２４の外表面に付いており、ここで、各部は家庭用品になめらかな輪郭を与えるため互いに噛み合っている。
【００５４】
加工用ヘッド４０は、泡状／スポンジパッド４１及び基板４４を有する。泡状パッド４１が搭載、接着若しくはそうでなければ基板４４に締め付けられる。本実施の形態の図面において、泡状パッド４１は、基板４４から離れて面する研磨泡立て層４２（ごしごし洗うのに役立つ）を有し、しかしながら、加工用ヘッド４０は、研磨泡立て層なしで非研磨泡立ての部材を備えるかもしれない。泡立てパッドの代わりに、加工用ヘッド４０は、ごしごし洗うのに、又は洗浄するための部材、例えば基板４４から延びる剛毛ブラシのような他の適したものをも適用できる。一体でハンドル組立部を形成するハンドル２０及び中間部材３０は、単純に、一の加工用ヘッドを取り外し、他のものに置換することで、種類の異なる加工用ヘッドを使用でき、この方法で、加工用ヘッドは、実行される特定の仕事に適したものを選択できる。
【００５５】
図９を参照し、基板４４は、プラスチック原料のシートで形成される。基板４４は、一般的に長方形状の平面又はわずかに曲がったプレートで構成される。上方拡張リム４５は、末端及び基板４４の２つの長側面に沿った基板の上表面の縁にまで拡張する。係止凸部４６のペアが、基板４４の各サイド上に１つずつ、互いの方にリム４５から延びる。基板４４は、さらに、基板の末端上のリム４５から伸び、さらに内側に向いている遠位凸部４７、基板４４の近位端から延びる直立凸部４８を有している。係止凸部４６は、中間部材３０の外縁部８０の外面の各サイド上に１つある凹溝３５の各対応するペアを受け、遠位凸部４７は、外縁部８０の末端上の末端凹部３３内に受けられ、直立凸部４８は、外縁部８０の対応する近位凹部３４内に受けられる。凸部４６，４７，４８は、スナップ嵌めを介して加工用ヘッド４０の基板４４を中間部材３０に装着するため、中間部材３０の対応する凹部で受けられる。基板４４は充分に柔軟性があり、そのようなものとして、加工用ヘッド４０は凹部３４から遠位凸部４７を離すため、基板４４を曲げることにより中間部材３０から離され、その結果、基板４４が凸部４６，４７の噛み合いからスライドで外される。
【００５６】
基板４４の末端から遠位に延びるのは、こて縁９２である。こて縁９２は、例えば原料の除去に道具として使用される端部を要する皿洗いのような洗浄用途での使用が意図される。図９を参照し、基板４４は小出し開口部９４を有する。組み立てられたとき、基板４４の小出し開口部９４は、中間部材３０の小出し開口部３１及びハンドル２０の放水口２７の箇所に位置し、その結果、液体は、ハンドル２０のリザーバから分配され、加工用ヘッド４０から出る。
【００５７】
装置１０はさらに、ハンドルからの液流を制御するための流量制御部１００を有する。流量制御部１００は、中間部材３０に連結され、ハンドル２０からの液体の分配をブロックする閉位置と、少なくともハンドル２０からの液体の分配をブロックしない第１開位置との間で可動である。図５Ａを参照し、流量制御部１００は、本体部１０２、バルブ部１１０、及びアクチュエータ部１２０を有する１片のプラスチック成型材として供される。図６を参照し、本体部１０２は、近位及び遠位の開口端を伴う通し穴を有するスリーブで形成され、ハンドル２０の末端部２２を受ける形状とされている本体部１０２であり、その結果、流量制御部１００は、組立時において末端部２２の周囲で受けられる。
【００５８】
アクチュエータ部１２０は、組立てられたとき、ユーザにアクセスできるように、本体部１０２の上側面から突出した突出部を有する。中間部材３０は卵型スロット９５を有し、その形状のためアクチュエータ部１２０がそこから突出し、ユーザがアクチュエータ部を動かすことで、流量制御部１００を調節する。
【００５９】
バルブ部１１０は、本体部１０２の下側から伸びた舌部を有する。バルブ部１１０は、サイズの異なる第１穴部１１２及び第２穴部１１４を有する。流量制御部１００の第２穴部１１４は、穴形状の２７，３１及び９４より大きくない。組み立てられたとき、流量制御部１００は、中間部材３０の内部チューブ状スリーブ３７内に位置し、流量制御部１００の本体部１０２でハンドルの末端部２２を受け、アクチュエータ部１２０はスロット９５を介して突出している。ハンドルの末端部２２の下側は、組立時に流量制御部１００のバルブ部１１０を受ける傾斜凹状部２８を有する。
【００６０】
流量制御部１００はスライド動作を介して、ハンドル２０及び中間部材３０と相対して近位及び遠位に、閉位置と第１，第２開位置との間を、直線的に可動する。閉位置では、図１及び図８に示すように、バルブ部１１０のブロック体側の末端がハンドル２０の放水口２７側であり、それにより、液体がハンドル２０から流れ出るのがブロックされる。アクチュエータ部１２０は、ユーザが流量制御部１００を遠位に動かすことで第１開位置に進み、ここで、第１穴部１１２はハンドル２０の放水口２７に合致し、そのために、液体がハンドルから、穴部１１２、中間部材の小出し開口部３１、及び加工用ヘッド４０の小出し開口部９４を介して流れる。アクチュエータ部１２０は、第１開位置から第２開位置に遠位に動き、ここで、第２穴部１１４はハンドル２０の放水口２７に合致し、そのために、液体がハンドルから穴部１１４、小出し開口部３１、及び加工用ヘッド４０の小出し開口部９４を介して流れる。第２穴部１１４が第１穴部１１２より大きいため、第２開位置では速い流量率の構造に対応し、一方、第１開位置では遅い流量率の構造に対応する。これによって、ユーザは第１及び第２で別々の流量制御の構造を選択できる。さらに、異なるサイズの穴部が、もちろん、さらに別々の流量制御の構造を供するため、バルブ部に形成されることも考え得る。
【００６１】
図５Ａを参照し、流量制御部１００は、本体部１０２の下側の内表面から上方に突出した戻り止め部１０４を有する。図４を参照し、ハンドルの末端部２２の下側の表面には、オペレータによって選択される、閉位置、第１開位置又は第２開位置で流量制御部１００を保持するための戻り受け部１０４と嵌合するための第１、第２及び第３戻り受け凹部９７ａ、９７ｂ、９７ｃを有する。戻り受け凹部９７ａ、９７ｂ、９７ｃは、ハンドルの長手軸に平行なラインで配列される。戻り受け部１０４が第１戻り受け凹部９７ａに固定されると、流量制御部は閉位置となる。戻り受け部１０４が第２戻り受け凹部９７ｂに固定されると、流量制御部は第１開位置となる。戻り受け部１０４が第３戻り受け凹部９７ｃに固定されると、流量制御部は第２開位置となる。一の凹部から隣接する凹部に移動するため、すなわち、別々の位置の間で流量制御部を動かすため、弱い力がアクチュエータ部１２０に対してオペレータにより戻り受け部１０４を動かすため適用されることが要される。
【００６２】
図１を参照し、中間部材３０は、流量制御部１００がその間で動かされる３つの別々の流量制御の形状を示すため、ユーザに可視できる外表面上に、３つの位置マーカ９６ａ、９６ｂ、９６ｃを有する。この実施の形態では、位置マーカ９６ａ、９６ｂ、９６ｃは中間部材３０の外表面から出ており、その結果、オペレータは位置マーカに触れることができるが、位置マーカは必ずしも突き出る形状とする必要はなく、中間部材３０の外表面と同一平面上又は外表面の窪みでもよい。位置マーカ９６ａ、９６ｂ、９６ｃは円形マークであり、末端方向に近づくようなラインで配置され、各位置マーカは、近位より遠位のものがより大きくなる。アクチュエータ部１２０が第１位置マーカ９６ａに配置されるとき、これは、流量制御部が閉位置にあるとオペレータに示している。アクチュエータ部１２０が第２位置マーカ９６ｂに配置されるとき、これは、流量制御部が第１開位置（例えば低い流れの形状）にあるとオペレータに示している。アクチュエータ部１２０が第３位置マーカ９６ｃに配置されるとき、これは、流量制御部が第２開位置（例えば早い流れの形状）にあるとオペレータに示している。
【００６３】
キャップ５０は、バヨネット結合を介してハンドル２０に取り付けられる。これは、上側及び下側が互いに対称形ではないキャップ５０が、ハンドル２０に対して好みの方向でハンドル２０に取り付くことを確約する。図３を参照し、キャップ５０は、キャップの内側リムの反対側から内方に突出する２つの雄型バヨネット凸部５２を有する。ハンドル２０に近い側の端部は、キャップをハンドルに固定するため、キャップ上のバヨネット凸部５２に係合する２つの対応する雌型バヨネット受け部５４を有する。もちろん、キャップ５０は、他の好ましい装着手段を用いてハンドル２０に装着するかもしれず、ここで、キャップ５０は例えば螺合によって、ハンドル２０に脱着可能、封止可能に取り付けられる。
【００６４】
装置は、リザーバから液体が漏れることを防止するため、使用と使用との間では、流量制御部１００を閉位置にして放置され得る。ユーザが例えば皿洗いのために装置を使用するとき、ユーザは流量制御部１００のアクチュエータ部１２０を、洗剤の好ましい液量に応じて、第１又は第２開位置に移動する。一度、流量制御部１００が第１又は第２開位置になると、液体がハンドルの放水口２７、流量制御部１００の選択された穴部１１２，１１４を介して、液体を分配する小出し開口部３１，９４を介して、加工用ヘッドから流れ出る。
【００６５】
上記実施の形態において、流量制御部１００は、閉位置と開位置との間を直線的に可動する。しかしながら、流量制御部１００は必ずしも直線的に動く必要はなく、これらの位置の間を回転可能に動く形状でも良い。
【００６６】
ハンドル２０と中間部材３０は、好ましくは注入成形が良い。装置の製造過程で、組立て用の各ユニットが作られた後、それらが上述する方法で一体に組み立てられる。というのも、中間部材３０は、ハンドル２０からは別部材であり、中間部材３０は、異なる形状及び／又は異なる用途に適したサイズの範囲から選択でき得る。例えば、図１〜９に示す中間部材は一般的に皿洗いに適しているが、ビン首の内に入るためにより狭い中間部材３０が、組立時に使用され得て、その結果、装置がビン洗浄装置として使用され得る。
【００６７】
装置は流量制御部１００を必ずしも有するものではない。図１０を参照し、液体分配装置１０は図１〜９に示すものと似ているが、流量制御部１００を有していない。同じ参照番号が上記の実施の形態に対応した形状を示すために使用される。図１０の組み立て物は、中間部材３０の中で受けられる末端部２２があるハンドル２０を有し、さらに、この組み立て物は、中間部材３０に取り付ける加工用ヘッド４０を有する。従って、装置は、液体を貯めるための中空のハンドル２０と、そこに組立て、また異なる形状及び／又は異なる使用に適したサイズの２以上の中間部材から製造工程において選択され得る初めは別々の中間部材３０と、のモジュール組立体から作られるのを利用する。
【００６８】
図１〜９に示す以外の好ましい手段が、加工用ヘッド４０を中間部材３０に取り外し可能に取り付けるために用いられるかもしれない。
【図１】
0006670050.tif 000002
【図２Ａ】
0006670050.tif 000003
【図２Ｂ】
0006670050.tif 000004
【図３】
0006670050.tif 000005
【図４】
0006670050.tif 000006
【図５Ａ−５Ｃ】
0006670050.tif 000007
【図６】
0006670050.tif 000008
【図７】
0006670050.tif 000009
【図８】
0006670050.tif 000010
【図９】
0006670050.tif 000011
【図１０】
0006670050.tif 000012